(57)【要約】      （修正有）【課題】シンプルな構成で廉価であり連続的に脱水が可能な他段式ローラー脱水機を提供する。【解決手段】上下のローラー２，３の間に挟持されて巻き込まれる濾布ベルト４を設け、濾布ベルト４を挟持して回転する上下ローラー２，３を直列にして多段に設け、濾布ベルト４はエンドレスに接続して上下多段ローラーの間を通すと共に、多段ローラー及び多段ローラー最終段側の静止ローラー９の後方には濾布ベルトに絞られて脱水し付着した浮遊体を掻き落とすへら１３，１２を取り付ける。また各上ローラーをゴム張りのエンドレスベルトにて連結することもできる。【選択図】                  図１
2004230366.tif 000002
【特許請求の範囲】
【請求項１】
水と水に浮遊する浮遊体を分離する脱水機において、上下のローラーの間に挟持されて巻き込まれる濾布ベルトを設け、濾布ベルトを挟持して回転する上下ローラーを直列にして多段に設け、また、上ローラーの直径は下段ローラーの直径の約１．５〜２倍にすると共に、下段ローラーの表面には厚み３〜５ｍｍの合成スポンジゴムを貼り付け、濾布ベルトはエンドレスに接続して上下多段ローラーの間を通すと共に、多段ローラーの両側にはエンドレスの濾布ベルトを回帰させる回転しない静止ローラー２本を設け、静止ローラーの一方の軸には濾布ベルトに引張り力を付与する梃子とスプリングを設け、多段ローラー最終段側の静止ローラーの後方には濾布ベルトに絞られて脱水し付着した浮遊体を掻き落とすへらを濾布ベルトに接触させて取り付け、多段の各上ローラーには上ローラーに絞られて脱水し付着した浮遊体を掻き落とすへらを設け、各上下ローラーには互いに引き合う梃子とスプリングを設け、且つ、各上下ローラーと多段ローラーの間には互いに駆動連結する歯車を設け、最終段側の下ローラー軸には緩やかに回転するギアーモータを接続したことを特徴とする多段式ローラー脱水機。または、各上ローラーをゴム張りのエンドレスベルトにて連結したことを特徴とする多段式ローラー脱水機。
【発明の詳細な説明】
【０００１】
【発明の属する技術分野】
水と水に浮遊する浮遊体を分離するいわゆる脱水機に関するものである。
【０００２】
【従来の技術】
従来の水に浮遊する浮遊体を絞り出す技術、例えば、豆乳のおから絞りやワイン絞りや汚泥絞りの技術では、遠心脱水機やスクリュー脱水機やベルトプレスが使われることが多かった。
【０００３】
【発明が解決しようとする課題】
しかし、遠心脱水機は、脱水性能は良いが連続して脱水するには不都合である。一方、スクリュー脱水機やベルトプレスは連続して脱水するには好都合であるが、装置が重厚で大掛かりであり、装置が高価であるなどの課題があった。
【０００４】
【課題を解決するための手段】
本発明はこの課題を解決しようとするものである。即ち、水と水に浮遊する浮遊体を分離する脱水機において、上下のローラーの間に挟持されて巻き込まれる濾布ベルトを設け、濾布ベルトを挟持して回転する上下ローラーを直列にして多段に設け、また、上ローラーの直径は下段ローラーの直径の約１．５〜２倍にすると共に、下段ローラーの表面には厚み３〜５ｍｍの合成スポンジゴムを貼り付け、濾布ベルトはエンドレスに接続して上下多段ローラーの間を通すと共に、多段ローラーの両側にはエンドレスの濾布ベルトを回帰させる回転しない静止ローラー２本を設け、静止ローラーの一方の軸には濾布ベルトに引張り力を付与する梃子とスプリングを設け、多段ローラー最終段側の静止ローラーの後方には濾布ベルトに絞られて脱水し付着した浮遊体を掻き落とすへらを濾布ベルトに接触させて取り付け、多段の各上ローラーには上ローラーに絞られて脱水し付着した浮遊体を掻き落とすへらを設け、各上下ローラーには互いに引き合う梃子とスプリングを設け、且つ、各上下ローラーと多段ローラーの間には互いに駆動連結する歯車を設け、最終段側の下ローラー軸には緩やかに回転するギアーモータを接続したことを特徴とする多段式ローラー脱水機である。または、各上ローラーをゴム張りのエンドレスベルトにて連結したことを特徴とする多段式ローラー脱水機である。
【０００５】
【発明の実施の形態】
以下、本発明の実施例について、図１、図２、図３、図４に基づいて説明する。
図１は本発明の第一の実施例で、内部構成を示す正面断面図である。図２は本発明の第二の実施例で、内部構成を示す正面断面図である。図３は第一の実施例、第二の実施例の右側面図である。図４は第一の実施例、第二の実施例に示す上、下ローラーの斜視図である。
図１、図２、図３に示す多段ローラー式脱水機（以下、脱水機という）の本体１は脱水機の基本機構部を支持する箱体である。本体１内には上、下のローラー２、３の間に挟持されて巻き込まれる濾布ベルト４を設けている。濾布ベルト４を挟持して回転する上、下ローラー２、３は図１、図２に示すように、直列に並べて多段に設けている。本実施例では３段にしているが、脱水の性能が良くなるので、４段〜５段にしてもよい。また、上ローラー２の直径は下段ローラー３の直径の約１．５〜２倍にすると浮遊体Ｆの上下ローラーへの挟み込みがよくなる。特に上ローラー２の直径は１５０ｍｍ以上の大きさが望ましい。下段ローラー３の表面には浮遊体Ｆの脱水効果を良くするために厚み３〜５ｍｍの合成スポンジゴム５を図４に示すように貼り付けている。合成スポンジゴム５は浮遊体Ｆより、水分を吸い取り、水分を吸い取った合成スポンジゴム５は上ローラー２と下ローラー３を互いに引き合う梃子６とスプリング７の圧搾力により水分が絞り出される。濾布ベルト４はエンドレスに接続して上、下ローラー２、３の間を通すと共に、多段ローラーの両側にはエンドレスの濾布ベルト４を回帰させるための静止ローラー８、９の２本が設けられていて、一方の静止ローラー９の軸には濾布ベルト４に引張り力を付与する梃子１０とスプリング１１を設け、多段ローラー最終段側の静止ローラー９の後方には濾布ベルト４に絞られて脱水し付着した浮遊体Ｆを掻き落とすへら１２を濾布ベルト４に接触させて取り付け、多段の各上ローラー２には上ローラー２に絞られて脱水し付着した浮遊体を掻き落とすへら１３を設け、各上、下ローラー２、３には上述のように互いに引き合う梃子６とスプリング７を設け、且つ、各上、下ローラー２、３と多段ローラーの間には互いに駆動連結する歯車１４、１５、と遊動歯車１６を設け、最終段側の下ローラー軸１７には緩やかに回転するギアーモータ１８を接続して上、下ローラー２、３および濾布ベルト４を駆動している。
また第二の実施例の図２では、各上ローラー２をゴム張りのエンドレスベルト１９にて連結したローラー脱水機を示している。
尚、図中２０、２１は上、下ローラー軸、２２、２３、２４、２６は回転支持軸である。２５は上、下ローラー軸の軸受けである。２７はへら１３を上ローラー２に押し付けるための重量物である。
次に、詳細な構成と作用を説明する。
濾布ベルト４はポリエステル繊維のメッシュなどを用い、耐水性、耐久性、耐磨耗性の材質がよい。また、実施例のベルトは蛇行しにくい織物を採用している。
上、下ローラー２、３の芯材は耐水性、耐磨耗性のプラスチックであればよい。本実施例では硬質塩化ビニールパイプ材を使用している。また、図４に示すように下ローラー３には耐水性のよい厚み３〜５ｍｍの合成スポンジゴム５を巻きつけて接着している。上ローラー２はプラスチック材のままでもよいが、直径は１５０ｍｍ以上に大きい方が浮遊体Ｆの挟み込みがよくなる。さらに、外周面に厚み１〜２ｍｍの合成ゴムシートを巻きつけて接着してもよい。ただし、浮遊体Ｆが付着しにくい撥水性の材質が好ましい。
多段ローラーの両側にはエンドレスの濾布ベルト４を回帰させるための静止ローラー８、９の２本を設けているが、このローラー８、９は故意に静止させる（回転させない）ことにより、濾布ベルト４に付着して絞られた浮遊体Ｆを濾布ベルト４の表側に摩擦で押し出すので、へら１２による掻き落とし効果が顕著になる。（調理でメッシュを使った裏ごしのような作用をする。）
上、下ローラー２、３を互いに引き合うスプリング７は一段目、二段目、三段目と後段になるほどスプリング力を強くすると脱水効果がよくなる。勿論、取り付け場所とコストに余裕があれば、多段の段数は多いほうが脱水効果はよくなる。
各上、下ローラー２、３と多段ローラーの間には互いに連結する歯車１４、１５と遊動歯車１６を設け、最終段側の下ローラー軸１７には緩やかに回転するギアーモータ１８を接続して上、下ローラー２、３および濾布ベルト４を多段駆動している。従って、浮遊体Ｆが滑りやすい餡子状のものやグリス状のものでも、濾布ベルト４のスリップ現象が発生しない作用効果がある。但し、浮遊体Ｆが滑り難い繊維状の場合は連結する歯車の段数を少なくしてもよい。
また、また第二の実施例の図２では、各上ローラー２をゴム張りのエンドレスベルト１９にて連結すると、ゴム張りエンドレス１９が必要になるが、上ローラー２に絞られて脱水し付着した浮遊体を掻き落とすへら１３の数が３から１個に減らすことができる。従って、浮遊体Ｆの種類や硬さなどに合わせて、第一の実施例か第二の実施例のどちらを選択するかはその都度、決定すればよい。
次に、本発明、実施例の操作方法を説明する。図１、図２の本体１の左方Ａで示す投入口から水と水に浮遊する浮遊体Ｆを連続的に注入する。ギアーモータ１８により上、下ローラー２、３、が回転し、濾布ベルト４が図中右方向へ引き込まれて動き、それにつれて水が濾布ベルト４を通って下方に自然滴下し、水を含んだ浮遊体Ｆは濾布ベルト４と共に、第一段の上、下ローラー２、３の間に挟みこまれ、含有水分が絞り出される。更に、第二段、第三段の上、下ローラー２、３により含有水分が絞り出され、脱水される。脱水された浮遊体Ｆはへら１２、へら１３により掻き落とされて、図中Ｂで示す出口より排出される。絞りだされた水はドレインＣより下方へ流出する。
【０００６】
【発明の効果】
以上説明したように、本発明の多段ローラー式脱水機は濾布ベルトを挟持して回転する上、下ローラーを直列に並べて多段に設けているので、脱水効果が顕著である。また、構成がシンプルなので、従来の重厚な装置に比べて低コストにできる。また、上ローラーの直径は下段ローラーの直径の約１．５〜２倍にすることにより、浮遊体Ｆの上、下ローラーへの挟み込みがよくなる。特に上ローラーの直径は１５０ｍｍ以上の大きさにしているので、挟み込みがよく、絞り脱水効果が向上する。下ローラーの表面には浮遊体Ｆの脱水効果と上、下ローラーへの挟み込みを良くするために厚み３〜５ｍｍの合成スポンジゴムを貼り付けている。合成スポンジゴムは浮遊体Ｆより、水分を吸い取り、水分を吸い取った合成スポンジゴムは上ローラーと下ローラーを互いに引き合う梃子とスプリングの圧搾力により水分が効率よく絞り出される。多段ローラーの両側にはエンドレスの濾布ベルトを回帰させるための静止ローラーを２本設けているが、このローラーは故意に静止させる（回転させない）ことにより、濾布ベルトに付着して絞られた浮遊体Ｆを強制的に濾布ベルトの表側に摩擦で押し出すので、へらによる掻き落とし効果が顕著になる。（調理の裏ごしのような作用がある。）
更に、各上、下ローラーと多段ローラーの間には互いに連結駆動する歯車を設けているので、滑りやすい浮遊体が入ってきても、濾布ベルトやローラーがスリップすることがなく、特に、汚泥などにおいて、浮遊体の凝集が弱い場合や、浮遊体（フロックとも云う）の大きさが小さい場合でも、安定した脱水ができるなど、多数の効果を発揮する脱水機が提供できる。
【図面の簡単な説明】
【図１】本発明の第一の実施例で、内部構成を示す正面断面図である。
【図２】本発明の第二の実施例で、内部構成を示す正面断面図である。
【図３】第一の実施例、第二の実施例の右側面図である。
【図４】第一の実施例、第二の実施例に示す上、下ローラーの斜視図である。
【符号の説明】
１    本体
２    上ローラー
３    下ローラー
４    濾布ベルト
５    合成スポンジゴム
６    梃子
７    スプリング
８    静止ローラー
９    静止ローラー（後段側）
１０  梃子（静止ローラー用）
１１  スプリング（静止ローラー用）
１２  へら（濾布ベルト側）
１３  へら（上ローラー側）
１４  歯車（上ローラー側）
１５  歯車（下ローラー側）
１６  遊動歯車
１７  下ローラー軸（モータ側）
１８  ギアーモータ
１９  ゴム張りエンドレスベルト
２０  上ローラー軸
２１  下ローラー軸
２２、２３、２４、２６  回転支持軸
２５  軸受け
２７  重量物
【図１】
2004230366.tif 000003
【図２】
2004230366.tif 000004
【図３】
2004230366.tif 000005
【図４】
2004230366.tif 000006